(57)【特許請求の範囲】
【請求項１】
ベース上に立設された複数本のアンカーボルトと、このアンカーボルトの上端部に仮止め支持されたテンプレートとから成る鋼管柱据付け用のアンカーボルト組立て体における前記テンプレートの位置矯正用具であって、長さ調整用ターンバックルと、このターンバックルの一端側ネジ軸体に連結された鉄筋挟持具と、前記ターンバックルの他端側ネジ軸体に連結されたテンプレートへの取付け具とから成り、前記鉄筋挟持具は、鉄筋に対して周方向の任意の位置から嵌合可能な本体と、当該本体を前記鉄筋に固定する締結ボルトとから成り、前記ターンバックルの一端側ネジ軸体は、前記鉄筋挟持具の本体に第一自在関節手段を介して連結され、前記ターンバックルの他端側ネジ軸体は、前記テンプレートへの取付け具に第二自在関節手段を介して連結されている、テンプレート位置矯正用具。
【請求項２】
前記第一自在関節手段は、前記鉄筋挟持具の本体に、当該鉄筋挟持具が挟持固定する鉄筋の長さ方向に対して直角向きの軸心の周りに回転自在に取り付けられた回転軸体から構成され、前記ターンバックルの一端側ネジ軸体が前記回転軸体に直角向きに結合されている、請求項１に記載のテンプレート位置矯正用具。
【請求項３】
前記第二自在関節手段は、前記ターンバックルの他端側ネジ軸体の遊端に、貫通孔部が当該他端側ネジ軸体の長さ方向に対して直角向きに貫通するように形成されたリング部と、このリング部を水平向きに貫通するように前記テンプレートへの取付け具に設けられた連結軸から構成されている、請求項１又は２に記載のテンプレート位置矯正用具。
【請求項４】
前記テンプレートへの取付け具は、取付け孔を備えた取付け板部と、この取付け板部の左右両側辺から折曲連設された左右両側板部から成り、この左右両側板部間に前記第二自在関節手段の連結軸が架設されている、請求項３に記載のテンプレート位置矯正用具。
【請求項５】
前記テンプレートへの取付け具は、門形本体と、この門形本体の左右両側板部に形成されたテンプレートへの嵌合用凹入部と、前記門形本体の天板部を螺嵌貫通して前記嵌合用凹入部に嵌合したテンプレートを締結する締結ボルトから成り、前記門形本体の左右両側板部間に前記第二自在関節手段の連結軸が架設されている、請求項３に記載のテンプレート位置矯正用具。
【発明の詳細な説明】
【技術分野】
【０００１】
本発明は、鋼管柱据付け用のアンカーボルト組立て体におけるテンプレートの位置矯正用具に関するものである。
【背景技術】
【０００２】
先行技術文献を示すことは出来ないが、ベース上に立設された複数本のアンカーボルトと、このアンカーボルトの上端部に仮止め支持されたテンプレートとから成る鋼管柱据付け用のアンカーボルト組立て体が知られている。このアンカーボルト組立て体は、地盤上に築造された水平梁の交点部などの上に鋼管柱を据え付けるために使用されるもので、地盤上の所定位置に前記ベースを利用して据え付けられ、上端のテンプレートが所定レベルで水平に位置するように前記ベースに対する各アンカーボルトの高さ調整が行われる。そしてこのアンカーボルト組立て体を含む水平梁築造用コンクリート型枠内にコンクリートを打設養生し、最後に前記テンプレートを取り外した後の各アンカーボルトを利用して鋼管柱の下端のベースプレートを据え付けるものである。
【発明の概要】
【発明が解決しようとする課題】
【０００３】
上記のような鋼管柱据付け用のアンカーボルト組立て体は、地盤上の所定位置に前記ベースを利用して据え付けられた後に水平梁用の配筋作業が行われるので、この配筋作業に際して当該アンカーボルト組立て体のアンカーボルト間に水平方向の鉄筋を挿通させるとき、当該鉄筋とアンカーボルト又は当該アンカーボルトを支持する支柱部材とが互いに衝突するなどして、アンカーボルトを水平方向に変位させてしまうことがあった。このようなアンカーボルトの水平方向の変位が生じたままでコンクリートの打設により水平梁が築造されてしまうと、アンカーボルトの上端で支持されているテンプレートの位置が変動し、正規の位置に鋼管柱を据え付けることが出来なくなる。従って、コンクリート打設前にテンプレートの位置ずれを測定し、位置ずれがあれば修正する必要があるが、従来は、専用のテンプレート位置矯正用具がなかったため、周囲の型枠とテンプレートやアンカーボルトとの間に木切れを押し込むなどの原始的方法によりテンプレートの位置矯正を行っていた。従って、テンプレートの位置矯正作業に多大の手間と時間を要するにもかかわらず、正確な位置矯正が困難であった。
【課題を解決するための手段】
【０００４】
本発明は、上記のような従来の問題点を解消することのできるテンプレート位置矯正用具を提案するものであって、請求項１に記載の本発明に係るテンプレート位置矯正用具は、後述する実施例との関係を理解し易くするために、当該実施例の説明において使用した参照符号を括弧付きで付して示すと、ベース(5)上に立設された複数本のアンカーボルト(9)と、このアンカーボルト(9)の上端部に仮止め支持されたテンプレート(10)とから成る鋼管柱据付け用のアンカーボルト組立て体(1)における前記テンプレート(10)の位置矯正用具であって、長さ調整用ターンバックル(27)と、このターンバックル(27)の一端側ネジ軸体(28)に連結された鉄筋挟持具(30)と、前記ターンバックル(27)の他端側ネジ軸体(31)に連結されたテンプレートへの取付け具(33)とから成り、前記鉄筋挟持具(30)は、鉄筋に対して周方向の任意の位置から嵌合可能な本体(35)と、当該本体(35)を前記鉄筋に固定する締結ボルト(36)とから成り、前記ターンバックル(27)の一端側ネジ軸体(28)は、前記鉄筋挟持具(30)の本体(35)に第一自在関節手段(29)を介して連結され、前記ターンバックル(27)の他端側ネジ軸体(31)は、前記テンプレートへの取付け具(33)に第二自在関節手段(32)を介して連結された構成になっている。
【０００５】
上記本発明を実施する場合、具体的には請求項２に記載のように、前記第一自在関節手段(29)は、前記鉄筋挟持具(30)の本体(35)に、当該鉄筋挟持具(30)が挟持固定する鉄筋の長さ方向に対して直角向きの軸心の周りに回転自在に取り付けられた回転軸体(37)から構成し、前記ターンバックル(27)の一端側ネジ軸体(28)を前記回転軸体(37)に直角向きに結合することが出来る。又、請求項３に記載のように、前記第二自在関節手段(32)は、前記ターンバックル(27)の他端側ネジ軸体(31)の遊端に、貫通孔部(42a)が当該他端側ネジ軸体(31)の長さ方向に対して直角向きに貫通するように形成されたリング部(42)と、このリング部(42)を水平向きに貫通するように前記テンプレートへの取付け具(33)に設けられた連結軸(43)から構成することが出来る。
【０００６】
この場合、請求項４に記載のように、前記テンプレートへの取付け具(33)は、取付け孔(39)を備えた取付け板部(40)と、この取付け板部(40)の左右両側辺から折曲連設された左右両側板部(41a,41b)から構成し、この左右両側板部(41a,41b)間に前記第二自在関節手段(32)の連結軸(43)を架設することが出来るし、請求項５に記載のように、前記テンプレートへの取付け具(52)は、門形本体(53)と、この門形本体(53)の左右両側板部(53a)に形成されたテンプレートへの嵌合用凹入部(54)と、前記門形本体(53)の天板部(53b)を螺嵌貫通して前記嵌合用凹入部(54)に嵌合したテンプレート(10)を締結する締結ボルト(55)から構成し、前記門形本体(53)の左右両側板部(53a)間に前記第二自在関節手段(32)の連結軸(43)を架設することが出来る。
【発明の効果】
【０００７】
本発明のテンプレート位置矯正用具によれば、鋼管柱据付け用のアンカーボルト組立て体が据え付けられると共に水平梁用の鉄筋を含むコンクリート型枠構造体が完成した後に、アンカーボルト組立て体の上端のテンプレートに水平方向の位置ずれが認められたとき、その位置ずれ方向と平面視においてほぼ平行な向きにある水平方向の鉄筋に鉄筋挟持具を挟持固定すると共に、ターンバックルがテンプレートの位置ずれ方向と出来る限り平行になる状態でテンプレートへの取付け具をテンプレートに取り付け、この状態で前記ターンバックルを伸長又は縮小させるように操作してテンプレートを押し引き操作し、以てテンプレートの位置ずれを矯正することが出来る。勿論、テンプレートの位置ずれがＸＹ両方向に関して生じているときは、少なくとも２つの本発明のテンプレート位置矯正用具を上記のように取り付けて、テンプレートのＸＹ両方向の位置ずれを各別に矯正することが出来るし、平面視においてテンプレートが回転した状態（鉛直軸心の周りに捩じられた状態）に位置ずれしているときは、ターンバックルの押し引き動作でその捩じれ方向の位置ずれを解消出来る向きで鉄筋とテンプレートとの間に本発明のテンプレート位置矯正用具を介装して前記位置矯正操作をターンテーブルの伸長又は縮小操作を行なえば良い。
【０００８】
以上のように本発明のテンプレート位置矯正用具によれば、鉄筋とテンプレートとにターンバックルの両端を取り付ける作業と当該ターンバックルの伸長又は縮小操作を行うだけで、テンプレートの位置ずれを矯正することが出来、テンプレートの位置ずれ矯正作業を簡単容易且つ精度良く行うことが出来る。
【０００９】
尚、ターンバックル両端と鉄筋挟持具及びテンプレートへの取付け具との間の各自在関節手段としては、如何なる構成のものでも良いが、必須要件としては、前記のようにテンプレートの水平方向の位置ずれ方向と平面視においてほぼ平行な向きにある水平方向の鉄筋に鉄筋挟持具を挟持固定すると共に、ターンバックルがテンプレートの位置ずれ方向と出来る限り平行になる状態でテンプレートへの取付け具をテンプレートに取り付けることが出来る自由度を備えたものでなければならない。なぜならば、鉄筋挟持具を挟持固定する鉄筋の向きがテンプレートの位置ずれ方向と直交するか又はこれに近い向きとなる場合、仮にターンバックルがテンプレートの位置ずれ方向と出来る限り平行になる状態にあっても、ターンバックルの押し引き操作によって鉄筋挟持具が挟持固定されている鉄筋が移動し、テンプレートが位置矯正方向に移動しないか又はその移動量が僅かになって実用レベルで位置矯正効果が得られなくなるからである。
【００１０】
而して、ターンバックル両端と鉄筋挟持具及びテンプレートへの取付け具との間の各自在関節手段を請求項２や請求項３に記載のように構成すれば、鉄筋挟持具とターンバックルとの間の自由度は多少少ないが、組立てが容易で安価に実施することが出来る。又、請求項３に記載の構成を採用する場合で、テンプレートの表面に取付け具をネジ止めしなければならない場合には、請求項４に記載のテンプレートへの取付け具を採用し、テンプレートの周縁に取付け具に設けた嵌合用凹入部を嵌合させることが出来るような場合には、請求項５に記載のテンプレートへの取付け具を採用することにより、テンプレートへの取付け具とターンバックルとの間の第二自在関節手段とを安価に構成出来ると共に、両者の組立て一体化も簡単に行える。
【図面の簡単な説明】
【００１１】
【図１】図１は、鋼管柱据付け用のアンカーボルト組立て体の据付け状態を示す側面図である。
【図２】図２は、同上アンカーボルト組立て体の据付け状態を示す平面図である。
【図３】図３は、同上アンカーボルト組立て体に鋼管柱を据え付けた状態を示す要部の側面図である。
【図４】図４は、同上アンカーボルト組立て体に対する本発明のテンプレート位置矯正用具の使用方法を説明する平面図である。
【図５】図５Ａは、本発明の一実施例のテンプレート位置矯正用具の側面図、図５Ｂは、同上テンプレート位置矯正用具の平面図である。
【図６】図６Ａは、同上テンプレート位置矯正用具の使用状態を示す平面図、図６Ｂは、同使用状態を示す側面図、図６Ｃは、図６ＢのＡ矢視図である。
【図７】図７は、テンプレート位置矯正用具の鉄筋挟持具の別実施例を示す要部の一部縦断側面図である。
【図８】図８は、テンプレート位置矯正用具のテンプレートへの取付け具の別実施例を示す要部の一部縦断側面図である。
【発明を実施するための形態】
【００１２】
図１及び図２に基づいて、鋼管柱据付け用のアンカーボルト組立て体の構造と使用方法について説明すると、１はアンカーボルト組立て体であって、Ｘ方向の水平梁築造箇所２と当該Ｙ方向の水平梁築造箇所２に対して直角に接続されるＹ方向の水平梁築造箇所３との交点部上で地盤４上に据え付けられる。このアンカーボルト組立て体１は、地盤４上に固定される矩形枠状のベース５と、このベース５上から矩形枠状に並ぶように固着立設されたアングル材などから成る支柱部材６と、各支柱部材６の上端側部に固着された筒状支持部材７に対して昇降自在に挿通されてボルト８により所定高さに固定されるアンカーボルト９と、当該矩形枠状に並ぶ複数本のアンカーボルト９によって支持される矩形枠状のテンプレート１０から構成されている。各アンカーボルト９の下端には、アンカープレート１１が固定ナット１２により取り付けられている。テンプレート１０は、各アンカーボルト９に螺嵌された受けナット１３により支持されると共に、テンプレート１０の上から各アンカーボルト９に螺嵌された固定ナット１４により固定されたもので、内周縁から下向きに折曲連設されて矩形枠状に連続する短い筒状内壁部１０ａを備えている。尚、図示のようにテンプレート１０には、必要に応じて支柱部材６に支持されないアンカーボルト９も取り付けることが出来る。
【００１３】
上記のように所定位置に据え付けられたアンカーボルト組立て体１には、その周囲を取り囲むように配置された垂直鉄筋１５やこれら垂直鉄筋１５を包み込むフープ筋１６などの必要な配筋が施工される。又、各水平梁築造箇所２，３には、アンカーボルト組立て体１内を水平に通るように水平主鉄筋１７，１８や、この水平主鉄筋１７，１８を包み込むフープ筋１９，２０などの必要な配筋が施工される。
【００１４】
アンカーボルト組立て体１の据付けと必要な配筋が完了すると、各水平梁築造箇所２，３にコンクリート打設空間を形成する型枠が、アンカーボルト組立て体１も包含するように組み立てられ、この後、当該コンクリート打設空間にコンクリートが打設されて所要期間養生される。而して、アンカーボルト組立て体１を内蔵し且つ築造されたＸ方向の水平梁２１ＡとＹ方向の水平梁２１Ｂとも一体化された鋼管柱支持用柱体部２１Ｃの上端面２１ａは、テンプレート１０よりも所要間隔だけ低くなるように設定されており、テンプレート１０を取り外した後、当該鋼管柱支持用柱体部２１Ｃの上端面２１ａから所要高さを隔てた状態で、図３に示すように鋼管柱２２の下端に固着されているベースプレート２３の周囲を各アンカーボルト９の上端に嵌合して締結ナット２４により固定し、係る状態で鋼管柱支持用柱体部２１Ｃの上端面２１ａと鋼管柱２２のベースプレート２３との間の隙間にグラウト層２５が形成される。
【００１５】
以上のようにして鋼管柱支持用柱体部２１Ｃに対する鋼管柱２２の据付けが行われるが、据え付けられた鋼管柱２２の二次元水平面上の据付け位置精度は、その据付け直前のアンカーボルト組立て体１における各アンカーボルト９の二次元水平面上の位置精度によって決まることになる。この各アンカーボルト９の二次元水平面上の位置は、これら各アンカーボルト９の上端部で支持されたテンプレート１０の二次元水平面上の位置によって決まるので、コンクリート打設直前にアンカーボルト組立て体１のテンプレート１０の二次元水平面上の位置を許容誤差内に矯正しておく必要がある。
【００１６】
上記テンプレート１０の二次元水平面上の位置矯正に使用される位置矯正用具の一実施例を、図５に基づいて説明すると、この位置矯正用具２６は、長さ調整用ターンバックル２７と、このターンバックル２７の一端側ネジ軸体２８に第一自在関節手段２９を介して連結された鉄筋挟持具３０と、前記ターンバックル２７の他端側ネジ軸体３１に第二自在関節手段３２を介して連結されたテンプレートへの取付け具３３とから構成されている。前記ターンバックル２７は、その中央本体３４の正逆回転により、互いに同心状の両ネジ軸体２８，３１が互いに逆方向に接近離間移動するものである。
【００１７】
鉄筋挟持具３０は、本体３５と締結ボルト３６から構成されたもので、本体３５には、Ｖ字形の鉄筋嵌合部３５ａと当該鉄筋嵌合部３５ａの一端につながって前記鉄筋嵌合部３５ａに対面する片持ち状の腕部３５ｂが設けられ、この腕部３５ｂを締結ボルト３６が前記鉄筋嵌合部３５ａに向かって螺合貫通している。前記第一自在関節手段２９は、鉄筋挟持具３０の本体３５の鉄筋嵌合部３５ａに嵌合する鉄筋Ｂの長さ方向に対して直角向きの軸心の周りに回転自在に、前記鉄筋嵌合部３５ａの腕部３５ｂに近い側の外側に取り付けられた回転軸体３７から構成され、この回転軸体３７の回転軸心に対して直交する向きに当該回転軸体３７に設けられた貫通ネジ孔に、前記ターンバックル２７の一端側ネジ軸体２８の外端螺軸部２８ａを螺合して、カシメ３８により両者を互いに固着している。
【００１８】
又、テンプレートへの取付け具３３は、取付け孔３９を備えた取付け板部４０と、この取付け板部４０の左右両側辺から折曲連設された左右両側板部４１ａ，４１ｂから構成され、前記第二自在関節手段３２は、ターンバックル２７の他端側ネジ軸体３１の遊端に、貫通孔部４２ａが当該他端側ネジ軸体３１の長さ方向に対して直角向きに貫通するように形成されたリング部４２と、このリング部４２を水平向きに貫通するように前記テンプレートへの取付け具３３の左右両側板部４１ａ，４１ｂ間に架設された連結軸４３から構成されている。尚、リング部４２の貫通孔部４２ａの内径は、連結軸４３の外径の２倍以上と大きく、そしてテンプレートへの取付け具３３の左右両側板部４１ａ，４１ｂ間の間隔は、前記リング部４２の厚みより十分に大きく設定され、テンプレートへの取付け具３３に対するテンプレート２７の方向自由度は非常に大きくなっている。
【００１９】
次に上記構成の位置矯正用具２６の使用方法について説明すると、図４に示すように、据え付けられたアンカーボルト組立て体１におけるテンプレート１０の二次元水平面上の位置がＸ方向の水平梁２１Ａの長さ方向（Ｘ方向）にずれているときは、上記構成の位置矯正用具２６をＸ方向の水平梁２１Ａの長さ方向（Ｘ方向）と出来る限り平行になるように向きを定めた状態で、テンプレート１０とＸ方向の水平梁２１Ａの長さ方向と平行な水平主鉄筋１７との間に介装する。又、テンプレート１０の二次元水平面上の位置がＹ方向の水平梁２１Ｂの長さ方向（Ｙ方向）にずれているときは、上記構成の位置矯正用具２６をＹ方向の水平梁２１Ｂの長さ方向（Ｙ方向）と出来る限り平行になるように向きを定めた状態で、テンプレート１０とＹ方向の水平梁２１Ｂの長さ方向と平行な水平主鉄筋１８との間に介装する。尚、位置矯正用具２６は、テンプレート１０の外側に配置しても良いが、コンクリート打設養生後のコンクリート面から突出している露出部分を切り取った後の始末を考慮すると、図示のように、テンプレート１０の内側に配置するのが望ましい。
【００２０】
具体的に説明すると、図６に示すように、全長を調整可能範囲内の中間適当長さに前以て調整してある位置矯正用具２６を上記のように配置し、テンプレートへの取付け具３３をテンプレート１０の上面の内側辺近傍位置に配置し、取付け孔３９を利用してドリルビス４４により取付け具３３の取付け板部４０をテンプレート１０の上面に固定する。そして位置矯正用具２６のターンバックル２７及び鉄筋挟持具３０をテンプレート１０の内側で斜め下方に倒伏させ、鉄筋挟持具３０の本体３５の鉄筋嵌合部３５ａを取付け対象の水平主鉄筋１７，１８に対して嵌合させると共に締結ボルト３６を締め付けて、当該水平主鉄筋１７，１８に鉄筋挟持具３０を固定する。上記のテンプレート１０に対する取付け具３３の取付けと水平主鉄筋１７，１８に対する鉄筋挟持具３０の取付けを無理なく行えると同時に、ターンバックル２７の長さ方向が、平面視においてテンプレート１０の位置ずれを矯正する方向と出来る限り平行となるように、位置矯正用具２６の鉄筋挟持具３０とテンプレートへの取付け具３３の位置と向きを定めるのに、第一自在関節手段２９と第二自在関節手段３２の存在が役立つ。
【００２１】
以上のようにして位置矯正用具２６をテンプレート１０と水平主鉄筋１７，１８との間に介装し終わったならば、ターンバックル２７の中央本体３４を正逆回転させ、テンプレート１０が位置矯正用具２６のある側とは反対側へ位置ずれしているときはターンバックル２７を縮小させてテンプレート１０を引き寄せ、逆にテンプレート１０が位置矯正用具２６のある側に位置ずれしているときはターンバックル２７を伸長させてテンプレート１０を押し退けるように操作することにより、テンプレート１０の水平二次元方向の位置ずれを矯正することが出来る。尚、テンプレート１０がその中央の垂直仮想軸心の周りに捩じれるように位置ずれしているときは、ターンバックル２７の押し引き操作により当該テンプレート１０を位置ずれ方向とは逆方向に前記垂直仮想軸心の周りに回転させることが出来る方向に、位置矯正用具２６をテンプレート１０と水平主鉄筋１７，１８との間に介装させれば良いが、この場合、そのターンバックル２７の押し引き操作により、当該位置矯正用具２６の鉄筋挟持具３０が取り付けられている水平主鉄筋１７，１８が移動して、テンプレート１０の位置矯正が実質的に行われなくなるというようなことがないように、位置矯正用具２６（ターンバックル２７）の方向を考えなくてはならない。
【００２２】
以上のようにテンプレート１０を介してアンカーボルト９の上端の水平二次元方向の位置ずれを矯正したならば、先に説明した要領でコンクリート打設により鋼管柱支持用柱体部２１Ｃが築造されるが、その後、鋼管柱支持用柱体部２１Ｃの上面２１ａから突出している位置矯正用具２６のターンバックル２７の他端側ネジ軸体３１を前記上面２１ａの際で切断し、取付け具３３とこれに連結状態のターンバックル２７の他端側ネジ軸体３１の一部と一体にテンプレート１０を取り外せば良い。この場合、鋼管柱支持用柱体部２１Ｃの上面２１ａに露出しているターンバックル２７の他端側ネジ軸体３１の切断部は、その後に鋼管柱支持用柱体部２１Ｃの上面２１ａと鋼管柱２２のベースプレート２３との間に形成されるグラウト層２５内に埋め込むことが出来る。
【００２３】
尚、上記実施例の鉄筋挟持具３０に代えて、図７に示すような鉄筋挟持具４５を利用することも出来る。この鉄筋挟持具４５は、内側辺に鉄筋嵌合凹部４６ａ，４７ａを備えた左右一対の鉄筋挟持部４６，４７を、薄肉にしたヒンジ部４８を介して一体に形成した本体４９と、締結用ボルトナット５０とから構成されたものである。締結用ボルトナット５０のボルト５０ａは、一方の鉄筋挟持部４６に基部が、当該鉄筋挟持部４６の長さ方向に揺動自在であると共に自転が阻止される状態に取り付けられ、ナット５０ｂが螺嵌する遊端の螺軸部は、他方の鉄筋挟持部４７の遊端から当該鉄筋挟持部４７の長さ方向に沿って形成された凹入溝部５１に嵌合している。而してこの鉄筋挟持具４５では、図示のように左右一対の鉄筋挟持部４６，４７が開かれた状態で取付け対象の鉄筋に嵌合させた後、ナット５０ｂを締め付けて左右一対の鉄筋挟持部４６，４７を、ヒンジ部４８を支点に閉動させ、左右一対の鉄筋挟持部４６，４７の鉄筋嵌合凹部４６ａ，４７ａによって鉄筋を挟持締結することが出来る。尚、この鉄筋挟持具４５とターンバックル２７の一端側ネジ軸体２８とを連結する前記第一自在関節手段２９の回転軸体３７は、左右一対の鉄筋挟持部４６，４７の内、基部が突出しないように締結用ボルトナット５０のボルト５０ａが取り付けられている側の鉄筋挟持部４６の先端部付近に取り付けられる。
【００２４】
又、上記実施例のテンプレートへの取付け具３３に代えて、図８に示すようなテンプレートへの取付け具５２を利用することも出来る。この取付け具５２は、門形本体５３と、この門形本体５３の左右両側板部５３ａに形成されたテンプレートへの嵌合用凹入部５４と、前記門形本体５３の天板部５３ｂを螺嵌貫通して前記嵌合用凹入部５４に嵌合したテンプレートを締結する締結ボルト５５から成り、前記門形本体５３の左右両側板部５３ａの遊端部間に前記第二自在関節手段３２の連結軸４３が架設されている。この取付け具５２では、前記テンプレート１０の内側辺（又は外側辺）に左右一対の前記嵌合用凹入部５４を嵌合させることが出来る板厚部がありさえすれば、ドリルビスなどを使用せずに前記テンプレート１０の内側辺（又は外側辺）に取付け具５２を簡単に取り付けることが出来る。図１及び図２に示したようなテンプレート１０の場合、その内側辺の筒状内壁部１０ａの下端周縁に、取付け具５２の左右一対の前記嵌合用凹入部５４を下から上向きに嵌合させると共に、締結ボルト５５を締め付ければ良い。
【産業上の利用可能性】
【００２５】
本発明のテンプレート位置矯正用具は、鋼管柱を据え付けるためのアンカーボルト組立て体のアンカーボルト上端の二次元平面上の位置ずれを、当該アンカーボルト組立て体のテンプレートを利用して簡単かつ精度良く矯正出来る手段として活用出来る。
【符号の説明】
【００２６】
１    アンカーボルト組立て体
５    ベース
６    支柱部材
７    アンカーボルト
１０    テンプレート
１５〜２０    鉄筋
２１Ａ    Ｘ方向の水平梁
２１Ｂ    Ｙ方向の水平梁
２１Ｃ    鋼管柱支持用柱体部
２２    鋼管柱
２３    ベースプレート
２４    締結ナット
２５    グラウト層
２６    位置矯正用具
２７    ターンバックル
２８    一端側ネジ軸体
２９    第一自在関節手段
３０，４５    鉄筋挟持具
３１    他端側ネジ軸体
３２    第二自在関節手段
３３，５２    テンプレートへの取付け具
３５ａ    鉄筋嵌合部
３６，５５    締結ボルト
３７    回転軸体
４０    取付け板部
４１ａ，４１ｂ    左右両側板部
４２    リング部
４３    連結軸
４４    ドリルビス
４６，４７    鉄筋挟持部
４８    ヒンジ部
５０    締結用ボルトナット
５３    門形本体
５３ａ    左右両側板部
５４    テンプレートへの嵌合用凹入部
【図１】
0005523421.tif 000002
【図２】
0005523421.tif 000003
【図３】
0005523421.tif 000004
【図４】
0005523421.tif 000005
【図５】
0005523421.tif 000006
【図６】
0005523421.tif 000007
【図７】
0005523421.tif 000008
【図８】
0005523421.tif 000009